(57)【要約】【課題】部品点数の削減すること、ワイヤーハーネスの組み立て工数の削減すること、および電線を省線化することができる導電路の分岐配線構造を提供すること。【解決手段】導電路の分岐配線構造１において、電気接続箱１０は、電気接続箱１０内の導電路Ｃに接続され、かつ導電路分岐ユニット３０内の導電路Ｃに接続される電気接続箱側端子１３が設けられてなる電気接続箱側コネクタ部１４を有してなり、導電路分岐ユニット３０は、導電路Ｃの分岐が集約され、電気接続箱側端子１３に接続される分岐ユニット側端子４１が設けられてなる分岐ユニット側コネクタ部と、各電装品Ｅとの間を繋ぐ導電路Ｃとを接続する外部導電路接続端子５１が設けられてなる外部接続コネクタ部５０とを有してなり、電気接続箱１０と導電路分岐ユニット３０とは、電気接続箱側コネクタ部１４と分岐ユニット側コネクタ部４０とをコネクタ接続させることによって直付けするように組み付けされる。【選択図】図１
2014093918.tif 000002
【特許請求の範囲】
【請求項１】
電力を各電装品に分配するための電気接続箱と、該電気接続箱から導出される導電路を前記各電装品に対応するように分岐させる導電路分岐ユニットと、を有してなる導電路の分岐配線構造において、
前記電気接続箱は、
前記電気接続箱内の前記導電路に接続され、かつ前記導電路分岐ユニット内の前記導電路に接続される端子となる電気接続箱側端子が設けられてなる電気接続箱側コネクタ部を有してなり、
前記導電路分岐ユニットは、
前記導電路の分岐が集約して設けられ、
前記導電路分岐ユニット内の前記導電路に接続され、かつ前記電気接続箱側端子にコネクタ接続される端子となる分岐ユニット側端子が設けられてなる分岐ユニット側コネクタ部と、
前記導電路分岐ユニット内で分岐された前記導電路と、前記導電路分岐ユニット外で前記導電路分岐ユニットと前記各電装品との間を繋ぐ前記導電路とを接続するための端子となる外部導電路接続端子が設けられてなる外部接続コネクタ部と、
を有してなり、
前記電気接続箱と前記導電路分岐ユニットとは、前記電気接続箱側コネクタ部と、前記分岐ユニット側コネクタ部とをコネクタ接続させることによって、直付けするように組み付けされることを特徴とする導電路の分岐配線構造。
【請求項２】
前記電気接続箱は、
外郭を形成する箱本体部を有してなり、
前記導電路分岐ユニットは、
外郭を形成するユニット本体部を有してなり、
前記電気接続箱と前記導電路分岐ユニットとが、
前記ユニット本体部の外表面の平面部分のうち相対的に大きい平面部分が前記電気接続箱の外表面の平面部分のうち相対的に大きい平面部分の略全域に重なるようにして組み付けされることを特徴とする請求項１に記載の導電路の分岐配線構造。
【請求項３】
前記電気接続箱は、
外郭を形成する箱本体部を有してなり、
前記導電路分岐ユニットは、
外郭を形成するユニット本体部を有してなり、
前記箱本体部の外表面の平面部分のうち相対的に大きい平面部分と、前記ユニット本体部の外表面の平面部分のうち相対的に大きい平面部分とを重ねるようにして組み付けされることを特徴とする請求項１に記載の導電路の分岐配線構造。
【請求項４】
前記電気接続箱と前記導電路分岐ユニットとが、
相対的に小さい側の前記平面部分が相対的に大きい側の前記平面部分の内側に収まるようにして組み付けされることを特徴とする請求項３に記載の導電路の分岐配線構造。
【請求項５】
前記外部接続コネクタ部は、
嵌合口が前記電気接続箱側コネクタ部とは別の前記電気接続箱のコネクタの嵌合口と嵌合方向を平行にするように設けられてなることを特徴とする請求項１、２、３または４に記載の導電路の分岐配線構造。
【請求項６】
前記導電路分岐ユニットは、
前記導電路分岐ユニット内の前記導電路が電線によって配線されてなることを特徴とする請求項１、２、３、４または５に記載の導電路の分岐配線構造。
【発明の詳細な説明】
【技術分野】
【０００１】
本発明は、電気接続箱と、該電気接続箱からから導出される導電路を各電装品に対応するように分岐させる導電路分岐ユニットと、を有してなる導電路の分岐配線構造に関する。
【背景技術】
【０００２】
従来、電源から複数の電装品に電気を分配して供給する場合、電気接続箱が用いられる。ところで、例えば、自動車は、新規モデル、あるいは同モデルであっても多種のグレードがあるため、電気接続箱を、車の種類に応じて新たに設計することは、コストが増加してしまう。この場合、一つの電気接続箱を標準仕様の電気接続箱として、多種の自動車に用いるようにしている。例えば、特許文献１には、標準仕様の電気接続箱と、該電気接続箱から導出される導電路を各電装品に対応するように分岐させる導電路分岐ユニットと、を有してなる導電路の分岐配線構造が記載されている。
【０００３】
特許文献１に記載された導電路の分岐配線構造は、導電路分岐ユニットとして、いわゆるジャンクションコネクタ（ＪＣ）を用いて標準仕様の電気接続箱に接続された電線を分岐させて各電装品までの導電路を形成するようにしている。
【先行技術文献】
【特許文献】
【０００４】
【特許文献１】特開２０１２−１０５５０２号公報
【発明の概要】
【発明が解決しようとする課題】
【０００５】
しかしながら、上述した従来の導電路の分岐配線構造は、ジャンクションコネクタを用いて電線Ｗを分岐する場合、図８に示すように、ジャンクションコネクタＪＣが電気接続箱ＪＢから離れた位置に点在して配置されているため、部品点数が増加する問題、また回路が複雑になることによってワイヤーハーネスの構造が複雑となるため、ワイヤーハーネスの組み立て工数が増加される問題、さらには、電気接続箱ＪＢと、ジャンクションコネクタＪＣとの間を接続する電線Ｗ（図中に矢印で示す。）が必要であり、この電線Ｗが、ジャンクションコネクタＪＣと電気接続箱ＪＢとの間の距離に相当する長さだけでなく、配線作業に必要な、ゆとり分の長さが必要となるので、電線の無駄が発生してしまうという問題があった。
【０００６】
本発明は、上記に鑑みてなされたものであって、部品点数の削減すること、ワイヤーハーネスの組み立て工数の削減すること、および電線を省線化することができる導電路の分岐配線構造を提供することを目的とする。
【課題を解決するための手段】
【０００７】
上述した課題を解決し、目的を達成するために、本発明の請求項１に係る導電路の分岐配線構造は、電力を各電装品に分配するための電気接続箱と、該電気接続箱から導出される導電路を前記各電装品に対応するように分岐させる導電路分岐ユニットと、を有してなる導電路の分岐配線構造において、前記電気接続箱は、前記電気接続箱内の前記導電路に接続され、かつ前記導電路分岐ユニット内の前記導電路に接続される端子となる電気接続箱側端子が設けられてなる電気接続箱側コネクタ部を有してなり、前記導電路分岐ユニットは、前記導電路の分岐が集約して設けられ、前記導電路分岐ユニット内の前記導電路に接続され、かつ前記電気接続箱側端子にコネクタ接続される端子となる分岐ユニット側端子が設けられてなる分岐ユニット側コネクタ部と、前記導電路分岐ユニット内で分岐された前記導電路と、前記導電路分岐ユニット外で前記導電路分岐ユニットと前記各電装品との間を繋ぐ前記導電路とを接続するための端子となる外部導電路接続端子が設けられてなる外部接続コネクタ部と、を有してなり、前記電気接続箱と前記導電路分岐ユニットとは、前記電気接続箱側コネクタ部と、前記分岐ユニット側コネクタ部とをコネクタ接続させることによって、直付けするように組み付けされることを特徴とする。
【０００８】
また、本発明の請求項２に係る導電路の分岐配線構造は、上記の発明において、前記電気接続箱は、外郭を形成する箱本体部を有してなり、前記導電路分岐ユニットは、外郭を形成するユニット本体部を有してなり、前記電気接続箱と前記導電路分岐ユニットとが、前記ユニット本体部の外表面の平面部分のうち相対的に大きい平面部分が前記電気接続箱の外表面の平面部分のうち相対的に大きい平面部分の略全域に重なるようにして組み付けされることを特徴とする。
【０００９】
また、本発明の請求項３に係る導電路の分岐配線構造は、上記の発明において、前記電気接続箱は、外郭を形成する箱本体部を有してなり、前記導電路分岐ユニットは、外郭を形成するユニット本体部を有してなり、前記箱本体部の外表面の平面部分のうち相対的に大きい平面部分と、前記ユニット本体部の外表面の平面部分のうち相対的に大きい平面部分とを重ねるようにして組み付けされることを特徴とする。
【００１０】
また、本発明の請求項４に係る導電路の分岐配線構造は、上記の発明において、前記電気接続箱と前記導電路分岐ユニットとが、相対的に小さい側の前記平面部分が相対的に大きい側の前記平面部分の内側に収まるようにして組み付けされることを特徴とする。
【００１１】
また、本発明の請求項５に係る導電路の分岐配線構造は、上記の発明において、前記外部接続コネクタ部は、嵌合口が前記電気接続箱側コネクタ部とは別の前記電気接続箱のコネクタの嵌合口と嵌合方向を平行にするように設けられてなることを特徴とする。
【００１２】
また、本発明の請求項６に係る導電路の分岐配線構造は、上記の発明において、前記導電路分岐ユニットは、前記導電路分岐ユニット内の前記導電路が電線によって配線されてなることを特徴とする。
【発明の効果】
【００１３】
本発明の請求項１に係る導電路の分岐配線構造は、前記導電路の分岐が前記導電路分岐ユニットに集約して設けられることによって、前記導電路分岐ユニットの数が削減されるとともに、回路が簡素化されることによってワイヤーハーネスの構造が簡素化され、しかも、前記電気接続箱と前記導電路分岐ユニットとが前記電気接続箱側コネクタ部と、前記分岐ユニット側コネクタ部とをコネクタ接続させることによって、直付けするように組み付けされることによって、前記電気接続箱と、前記導電路分岐ユニットとの間が、電線を介さず、直接的に端子によって接続されるので、結果的に、部品点数の削減すること、ワイヤーハーネスの組み立て工数の削減すること、および電線を省線化することができる。
【００１４】
本発明の請求項２に係る導電路の分岐配線構造は、前記電気接続箱の相対的に大きい平面部分を有効的に利用して前記導電路分岐ユニットを前記電気接続箱に組み付けることができるので、前記導電路分岐ユニットの前記平面部分に平行な方向での厚みをできるだけ大きくし、かつ前記平面部分に直交する方向での前記導電路分岐ユニットの厚みを小さく抑えることが可能となり、結果的に、前記平面部分に直交する方向で薄型化することができる。
【００１５】
本発明の請求項３に係る導電路の分岐配線構造は、前記電気接続箱と前記導電路分岐ユニットとが、前記電気接続箱の前記平面部分のうち相対的に大きい前記平面部分と、前記導電路分岐ユニットの前記平面部分のうち相対的に大きい前記平面部分とを重ねるように組み付けされるので、前記平面部分に直交する方向での厚みを小さく抑えることによって薄型化することができる。
【００１６】
本発明の請求項４に係る導電路の分岐配線構造は、前記電気接続箱と前記導電路分岐ユニットとが、互いの大きい前記平面部分を重ねるように、かつ相対的に小さい側の前記平面部分が相対的に大きい側の前記平面部分の内側に収まるようにして組み付けされるので、前記平面部分に直交する方向での厚みを小さく抑えることによって薄型化することができるとともに、前記大きい平面部分に平行な方向での厚みの増加を極力小さく抑えることができる。
【００１７】
本発明の請求項５に係る導電路の分岐配線構造は、前記電気接続箱側コネクタ部とは別の前記電気接続箱のコネクタのコネクタ接続作業と同様にして、前記外部接続コネクタ部に対するコネクタ接続作業を行うことができるので、前記外部接続コネクタ部に対するコネクタ接続作業を容易に行うことができる。
【００１８】
本発明の請求項６に係る導電路の分岐配線構造は、前記導電路分岐ユニット内の前記電線の配線構造を変更するだけで、各種仕様に応じた導電路の分岐配線構造１に容易に変更することができるとともに、前記外部接続コネクタ部を機能別に複数のコネクタに区分して設けることが容易になる。
【図面の簡単な説明】
【００１９】
【図１】図１は、本発明の実施例に係る導電路の分岐配線構造の分解斜視図である。
【図２】図２は、図１に示した電気接続箱と導電路分岐ユニットとを示した図である。
【図３】図３は、図１に示した導電路分岐ユニットの上面図、側面図、および前面図を示した図である。
【図４】図４は、本発明の実施例に係る導電路の分岐配線構造の回路構成を示した図である。
【図５】図５は、導電路分岐ユニットの組み付け手順を示した図である。
【図６】図６は、導電路分岐ユニットの組み付け手順を示した図である。
【図７】図７は、本発明の実施例に係る導電路の分岐配線構造の変形例の導電路の分岐配線構造を示した図である。
【図８】図８は、従来技術を説明するための図である。
【発明を実施するための形態】
【００２０】
以下、図面を参照して、本発明に係る導電路の分岐配線構造の好適な実施例を詳細に説明する。
【実施例】
【００２１】
図１は、本発明の実施例に係る導電路の分岐配線構造１の分解斜視図である。
図２は、図１に示した電気接続箱１０と導電路分岐ユニット３０とを示した図である。
なお、図２において図２（ａ）は、電気接続箱１０に導電路分岐ユニット３０を組み付ける前の状態を示し、図２（ｂ）は、電気接続箱１０に導電路分岐ユニット３０を組み付けた後の状態を示す。
図３は、図１に示した導電路分岐ユニット３０の上面図、側面図、および前面図を示した図である。
図４は、本発明の実施例に係る導電路の分岐配線構造１の回路構成を示した図である。
なお、図４は、図８との比較を容易にするため、図８の等価回路で示している。
なお、便宜上、図中に示すように前後、左右及び上下方向を定義する。
本発明の実施例に係る導電路の分岐配線構造１は、電源から供給される電力を各電装品Ｅ（図４参照）に分配するための電気接続箱１０と、電気接続箱１０から導出される導電路Ｃを各電装品Ｅに対応するように分岐させる導電路分岐ユニット５０と、を有してなる。
【００２２】
まず、電気接続箱１０について説明する。
電気接続箱１０は、外郭を形成する箱本体部１１を有し、箱本体部１１内に回路基板１２等の機能部品が収容されてなる。
【００２３】
箱本体部１１は、合成樹脂等の絶縁材からなり、複数の電気接続箱側端子１３が設けられてなる電気接続箱側コネクタ部１４と、電気接続箱側コネクタ部１４とは別に電力あるいは信号の入出力のための各種のコネクタ２０を有してなる。
【００２４】
電気接続箱側コネクタ部１４は、箱本体部１１の外表面１１ｂの上面となる平面部分１１ａに形成され、後述する分岐ユニット側コネクタ部４０のコネクタ嵌合筒部４０ａが嵌入されるコネクタ嵌合凹部１４ａを有してなる。このコネクタ嵌合凹部１４ａの底面から複数の電気接続箱側端子１３が電気接続箱１０の上方に向けて突出されるようになっている。
【００２５】
また、この実施例では、電気接続箱側コネクタ部１４がその機能別に区分されるように、２箇所に設けられている。なお、電気接続箱側コネクタ部１４の設置個数は、２箇所に限定されず、適宜、必要数を設けるとよい。
【００２６】
電気接続箱側端子１３は、電気接続箱１０内の導電路Ｃに接続され、かつ導電路分岐ユニット３０内の導電路Ｃに接続される端子である。
より具体的には、電気接続箱側端子１３は、回路基板１２に形成された導体パターンからなる導電路Ｃに接続されるいわゆるバスバー等の金属端子部材であり、箱本体部１１内から箱本体部１１外にコネクタ嵌合凹部１４ａの底壁を貫通するように設けられている。
【００２７】
次に、導電路分岐ユニット３０について説明する。
導電路分岐ユニット３０は、導電路Ｃの分岐が集約して設けられ、分岐ユニット側コネクタ部４０と、外部接続コネクタ部５０と、を有してなる。
【００２８】
分岐ユニット側コネクタ部４０は、導電路分岐ユニット３０内の導電路Ｃに接続され、かつ電気接続箱側端子１３にコネクタ接続される端子となる分岐ユニット側端子４１が設けられてなる。
【００２９】
外部接続コネクタ部５０は、導電路分岐ユニット３０内で分岐された導電路Ｃと導電路分岐ユニット３０外で導電路分岐ユニット３０と各電装品Ｅとの間を繋ぐ導電路Ｃとを接続するための端子となる外部導電路接続端子５１が設けられてなる。
【００３０】
この導電路分岐ユニット３０は、外郭を形成するユニット本体部３１を有してなる。
ユニット本体部３１は、導電路分岐ユニット３０内の導電路Ｃとしての電線Ｗ１が配索される布線シート部３２と、カバー部３３とを有してなる。
【００３１】
布線シート部３２は、上面に開口部３２ａが設けられた箱型形状をなし、複数の分岐ユニット側端子４１と、複数の外部導電路接続端子５１とが、電線Ｗ１を介して互いに接続された状態で保持されるようになっている。ここで、複数の分岐ユニット側端子４１と、複数の外部導電路接続端子５１とは、布線シート部３２に端子４１，５１の一部が挿通可能に形成された不図示の端子挿通孔等によって容易に布線シート部３２に取り付けられるようになっている。
また、この布線シート部３２の下面３１ａ、すなわちユニット本体部３１の外表面３１ｂの下面となる平面部分３１ａには電気接続箱側コネクタ部１４に対応して分岐ユニット側コネクタ部４０が２箇所に設けられている。
【００３２】
各分岐ユニット側コネクタ部４０は、より具体的には、ユニット本体部３１の外表面３１ｂの下面となる平面部分３１ａから筒状に突出されたコネクタ嵌合筒部４０ａを有し、このコネクタ嵌合筒部４０ａの筒内に複数の分岐ユニット側端子４１が保持されるようになっている。
【００３３】
カバー部３３は、布線シート部３２の開口部３２ａを塞ぐとともに、機能別に区分された複数の外部接続コネクタ部５０が設けられている。各外部接続コネクタ部５０は、導電路分岐ユニット３０外の導電路Ｃを形成する電線Ｗ２を有してなるワイヤーハーネス１００のコネクタ１１０が嵌入される嵌合凹部５０ａを有し、この嵌合凹部５０ａ内に外部導電路接続端子５１が嵌合口５０ｂに向けて突出されるように固定されている。このため、各外部接続コネクタ部５０とワイヤーハーネス１００のコネクタ１１０とがコネクタ接続されることによって、導電路分岐ユニット３０内で分岐された導電路分岐ユニット３０内の電線Ｗ１と導電路分岐ユニット３０外の電線Ｗ２とが接続されるようになっている。
なお、この実施例では、カバー部３３は、布線シート部３２の開口部３２ａの略中央位置で２分されるように第一カバー部３３ａと、第二カバー部３３ｂとに分割して設けられ、横方向にスライド移動させることによって布線シート部３２に着脱されるようになっている。これら第一カバー部３３ａと、第二カバー部３３ｂとは、それぞれに設けられた係合部孔部と、係合凸部とで係合されることによって、連結されるようになっている。
【００３４】
また、各外部接続コネクタ部５０は、嵌合口５０ｂが電気接続箱側コネクタ部１４とは別の電気接続箱１０のコネクタ２０の嵌合口２０ａと嵌合方向を平行にするように設けられてなる。
【００３５】
このような導電路の分岐配線構造１は、電気接続箱１０と導電路分岐ユニット３０とが、ユニット本体部３１の外表面３１ｂの平面部分のうち相対的に大きい平面部分３１ａが電気接続箱１０の外表面１１ｂの平面部分のうち相対的に大きい平面部分１１ａの略全域に重なるようにして組み付けされるようになっている。
【００３６】
次に、図５および図６を用いて、導電路分岐ユニット３０の組み付け手順について説明する。図５および図６は、導電路分岐ユニット３０の組み付け手順を示した図である。
【００３７】
まず、作業者は、布線シート部３２に複数の分岐ユニット側端子４１、および複数の外部導電路接続端子５１を取り付ける（図５（ａ），（ｂ）参照）。この工程では、複数の分岐ユニット側端子４１、および複数の外部導電路接続端子５１は、布線シート部３２に形成された不図示の端子挿通孔によって容易に布線シート部３２に取り付けられる。
【００３８】
その後、作業者は、布線シート部３２に電線Ｗ１を配索する（図６（ａ）参照）。この工程で、電線Ｗ１が自動車の各種仕様に応じて分岐されながら分岐ユニット側端子４１、および外部導電路接続端子５１に接続される。
【００３９】
最後に、作業者は、布線シート部３２にカバー部３３を取り付けることによって導電路分岐ユニット３０の組み付け作業を完了させる（図６（ａ），（ｂ）参照）。
【００４０】
このような、導電路の分岐配線構造１は、図２に示すように、電気接続箱側コネクタ部１４と、分岐ユニット側コネクタ部４０とをコネクタ接続させることによって、電気接続箱１０と導電路分岐ユニット３０とが直付けするように組み付けされるようになっている。このため、図４に示すように、電気接続箱１０と、導電路分岐ユニット３０との間が電線を介さず、直接的に端子１３，４１（図中に矢印で示す。）によって接続される。
【００４１】
本発明の実施例に係る導電路の分岐配線構造１は、導電路Ｃの分岐が導電路分岐ユニット３０に集約して設けられることによって、導電路分岐ユニット３０の数が削減されるとともに、回路が簡素化されることによってワイヤーハーネス１００の構造が簡素化され、しかも電気接続箱１０と導電路分岐ユニット３０とが電気接続箱側コネクタ部１４と、分岐ユニット側コネクタ部４０とをコネクタ接続させることによって、直付けするように組み付けされることによって、電気接続箱１０と、導電路分岐ユニット３０との間が、電線を介さず、直接的に端子によって接続されるので、結果的に、部品点数の削減すること、ワイヤーハーネス１００の組み立て工数の削減すること、および電線を省線化することができる。
【００４２】
また、本発明の実施例に係る導電路の分岐配線構造１は、電気接続箱１０の相対的に大きい平面部分１１ａを有効的に利用して導電路分岐ユニット３０を電気接続箱１０に組み付けることができるので、導電路分岐ユニット３０の平面部分３０ａに平行な方向での厚みをできるだけ大きくし、かつ平面部分３０ａに直交する方向での導電路分岐ユニット３０の厚みを小さく抑えることが可能となり、結果的に、平面部分３０に直交する方向で薄型化することができる。
【００４３】
また、本発明の実施例に係る導電路の分岐配線構造１は、電気接続箱側コネクタ部１４とは別の電気接続箱１０のコネクタ２０のコネクタ接続作業と同様にして、外部接続コネクタ部５０に対するコネクタ接続作業を行うことができるので、外部接続コネクタ部５０に対するコネクタ接続作業を容易に行うことができる。
【００４４】
また、本発明の実施例に係る導電路の分岐配線構造１は、導電路分岐ユニット３０内の電線Ｗ１の配線構造を変更するだけで、各種仕様に応じた導電路の分岐配線構造１に容易に変更することができるとともに、外部接続コネクタ部５０を機能別に複数のコネクタに区分して設けることが容易になる。
【００４５】
（変形例）
次に、図７を用いて、本発明の実施例に係る導電路の分岐配線構造１の変形例について説明する。図７は、本発明の実施例に係る導電路の分岐配線構造１の変形例の導電路の分岐配線構造２を示した図である。
この変形例の導電路の分岐配線構造２は、導電路分岐ユニット７０が電気接続箱６０の上面となる平面部分１１ａの一部を覆うように設けられている点、および電気接続箱側コネクタ部１４と、分岐ユニット側コネクタ部４０とが、それぞれ１箇所に設けられている点で実施例の導電路の分岐配線構造１と異なる。
なお、その他の構成は実施例と同様であり、実施例と同一構成部分には同一符号を付している。
【００４６】
この変形例の導電路の分岐配線構造２は、電気接続箱６０と導電路分岐ユニット７０とが、箱本体部６１の外表面６１ｂの平面部分のうち相対的に大きい平面部分６１ａと、ユニット本体部７１の外表面７１ｂの平面部分のうち相対的に大きい平面部分７１ａとを重ねるようにして、しかも、相対的に小さい側の導電路分岐ユニット７０の平面部分７１ａが相対的に大きい側の電気接続箱６０の平面部分６１の内側に収まるようにして組み付けされる。
【００４７】
この変形例の導電路の分岐配線構造２は、実施例の導電路の分岐配線構造１と同様に、導電路Ｃの分岐が導電路分岐ユニット７０に集約して設けられることによって、導電路分岐ユニット３０の数が削減されるとともに、回路が簡素化されることによってワイヤーハーネス１００の構造が簡素化され、しかも電気接続箱６０と導電路分岐ユニット７０とが電気接続箱側コネクタ部１４と、分岐ユニット側コネクタ部４０とをコネクタ接続させることによって、直付けするように組み付けされることによって、電気接続箱６０と、導電路分岐ユニット７０との間が、電線を介さず、直接的に端子によって接続されるので、結果的に、部品点数の削減すること、ワイヤーハーネス１００の組み立て工数の削減すること、および電線を省線化することができる。
【００４８】
また、この変形例の導電路の分岐配線構造２は、電気接続箱６０と導電路分岐ユニット７０とが、電気接続箱６０の平面部分のうち相対的に大きい平面部分６１ａと、導電路分岐ユニット７０の平面部分のうち相対的に大きい平面部分７１ａとを重ねるように、しかも相対的に小さい側となる導電路分岐ユニット７０の平面部分６１ａが相対的に大きい側となる電気接続箱６０の平面部分７１ａの内側に収まるようにして組み付けされるので、平面部分６１ａ，７１ａに直交する方向での厚みを小さく抑えることによって薄型化しつつ、大きい平面部分６１ａ，７１ａに平行な方向での厚みの増加を極力小さく抑えることができる。
【００４９】
なお、本発明の実施例に係る導電路の分岐配線構造１，２は、導電路分岐ユニット３０，７０内の導電路Ｃが電線Ｗ１によって配線されるものを例示したが、導電路Ｃは電線Ｗ１に限らない。例えば、導電路分岐ユニット３０，７０内の導電路Ｃとして金属部材からなる、いわゆるバスバーを用いても構わないし、プリント配線板に形成された金属箔パターンを用いても構わない。
【００５０】
また、本発明の実施例に係る導電路の分岐配線構造１，２は、導電路分岐ユニット３０，７０が電気接続箱１０，６０の上面となる平面部分１１ａに組み付けられるものを例示したが、導電路分岐ユニット３０，７０と電気接続箱１０，６０とがコネクタ接続によって直付け可能であれば、導電路分岐ユニット３０，７０が電気接続箱１０，６０の側面となる平面部分、あるいは若干の曲面を有する部分に組み付けられるようになっていても構わない。
【００５１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５２】
１，２        導電路の分岐接続構造
１０，６０    電気接続箱
１１，６１    箱本体部
１１ａ，６１ａ  平面部分
１１ｂ，６１ｂ  外表面
１２          回路基板
１３          電気接続箱側端子
１４          電気接続箱側コネクタ部
１４ａ        コネクタ嵌合凹部
２０          コネクタ
２０ａ        嵌合口
３０，７０    導電路分岐ユニット
３１，７１    ユニット本体部
３１ａ，７１ａ  平面部分
３１ｂ，７１ｂ  外表面
３２          布線シート部
３２ａ        開口部
３３          カバー部
３３ａ        第一カバー部
３３ａａ      係合孔部
３３ｂ        第二カバー部
３３ｂｂ      係合凸部
４０          分岐ユニット側コネクタ部
４０ａ        コネクタ嵌合筒部
４１          分岐ユニット側端子
５０          外部接続コネクタ部
５０ａ        嵌合凹部
５０ｂ        嵌合口
５１          外部導電路接続端子
１００        ワイヤハーネス
１１０        コネクタ
Ｃ            導電路
Ｗ，Ｗ１，Ｗ２  電線
Ｅ            電装品
【図１】
2014093918.tif 000003
【図２】
2014093918.tif 000004
【図３】
2014093918.tif 000005
【図４】
2014093918.tif 000006
【図５】
2014093918.tif 000007
【図６】
2014093918.tif 000008
【図７】
2014093918.tif 000009
【図８】
2014093918.tif 000010